(57)【要約】【課題】  操作部材が下降するときに、導通用接触部が電気部品を押圧しながら引っ掻く虞がない電気部品用ソケットを提供する。【解決手段】  ＣＣＤ１の端子１ｐと接触するコンタクトピン３０が設けられたソケット本体１１と、ソケット本体１１に上下動自在に設けられた操作部材１２と、操作部材１２と一体に上下動可能に設けられ、ＣＣＤ１が収容される収容部材１３とを備えた電気部品用ソケット１０であって、操作部材１２が下降すると、収容部材１３に収容されたＣＣＤ１が下降することにより、ＣＣＤ１が導通用接触部３０ｇから離間した後に、押圧部１２ｎが被押圧部３０ｅを押圧して揺動直線部３０ｄがＣＣＤ１から退避することにより、導通用接触部３０ｇがＣＣＤ１から離間する電気部品用ソケット１０を構成した。【選択図】  図６
2008135211.tif 000002
【特許請求の範囲】
【請求項１】
電気部品の端子と接触するコンタクトピンが設けられると共に基板上に取付けられたソケット本体と、該ソケット本体に上下動自在に設けられた操作部材と、該操作部材と一体に上下動可能に設けられ、前記電気部品が収容される収容部材とを備えた電気部品用ソケットであって、
前記コンタクトピンは、前記ソケット本体に固定されるリード部と、該リード部の上端に設けられて前記ソケット本体に支持される被支持部と、該被支持部から延長された弾性変形可能な弾性部と、該弾性部の先端部から延長されて前記弾性部より前記ソケット本体の中心寄りで下方へ延びて揺動自在な揺動直線部とを有し、該揺動直線部には、前記電気部品と前記基板とを電気的に接続させる導通用接触部が形成されると共に、前記操作部材に形成された押圧部により押圧可能な被押圧部とが形成され、
前記操作部材が下降すると、前記収容部材に収容された前記電気部品が下降することにより、前記電気部品が前記導通用接触部から離間した後に、前記押圧部が前記被押圧部を押圧して前記揺動直線部が前記電気部品から退避することにより、前記導通用接触部が前記電気部品から離間すると共に、
前記操作部材が上昇すると、前記押圧部が前記被押圧部を押圧解除して前記揺動直線部が前記電気部品へと接近することにより、前記導通用接触部が前記電気部品に接近した後に、前記収容部材に収容された前記電気部品が上昇することにより、前記電気部品が前記導通用接触部に接触することを特徴とする電気部品用ソケット。
【請求項２】
前記コンタクトピンは、前記揺動直線部の先端から略水平方向に延びて、前記収容部材に収容される前記電気部品の前記端子に上方から接触する前記導通用接触部の他に、前記揺動直線部の先端から下方向に延びて、前記収容部材の側面に横から接触して横方向への揺動が制止される横動制止接触部を有することを特徴とする請求項１に記載の電気部品用ソケット。
【請求項３】
前記ソケット本体の下側で上下動自在な前記収容部材が、前記基板に形成されている貫通孔を介して前記基板の下に突出して設けられていることを特徴とする請求項１又は２に記載の電気部品用ソケット。
【請求項４】
前記収容部材には上下方向に貫通する貫通孔が形成された貫通壁が設けられ、該貫通壁の内壁には前記電気部品を収容する段差部が形成され、前記電気部品は、光を導入する光導入面と、光から変換された電気を通す端子が設けられた端子面とを有するＣＣＤであり、該ＣＣＤは、前記光導入面が下方に向けられて前記収容部材の前記段差部に収容されることを特徴とする請求項１乃至３の何れか一つに記載の電気部品用ソケット。
【請求項５】
請求項４に記載の電気部品用ソケットと、前記収容部材の下方に配置されて前記貫通壁の前記貫通孔を通して前記電気部品に向けて照射される光源とを備えたことを特徴とする電気部品の検査システム。
【発明の詳細な説明】
【技術分野】
【０００１】
この発明は、電気部品の端子と接触するコンタクトピンが設けられたソケット本体と、ソケット本体に上下動自在に設けられた操作部材と、電気部品が収容される収容部材とを備えた電気部品用ソケットに関するものである。
【背景技術】
【０００２】
従来、電気部品の端子と接触するコンタクトピンが設けられたソケット本体と、このソケット本体に上下動自在に設けられた操作部材と、電気部品が載置される収容部材とを有する電気部品用ソケットでは、電気部品と基板との電気的接続を図るために、操作部材の昇降によってコンタクトピンの導通用接触部を変位させて収容部材に収容された電気部品と接触させることが行われている。
【０００３】
このような電気部品用ソケットに関する発明として特許文献１に記載されたようなものがある。特許文献１には、「電気部品の端子と接触するコンタクトピンが設けられたソケット本体と、該ソケット本体に上下動自在に設けられた操作部材と、前記電気部品が収容される収容部材とを備えた電気部品用ソケットであって、前記コンタクトピンは、前記ソケット本体に固定されるリード部と、該リード部の上端に設けられて前記ソケット本体に支持される被支持部（固定部１６ａ）と、該被支持部から延長された弾性変形可能な弾性部（バネ部１６ｅ）と、該弾性部の先端部から延長されて、前記電気部品と前記基板とを電気的に接続させる導通用接触部（可動側接触部１６ｄ）が形成されると共に、前記操作部材に形成された押圧部により押圧可能な被押圧部（操作片１６ｉ）とが形成され、操作部材の下降により、コンタクトピンの被押圧部が押圧されて導通用接触部が電気部品から退避され、操作部材の上昇により、コンタクトピンの被押圧部が押圧力を解除されて導通用接触部が電気部品に接触する電気部品用ソケット。」の発明が記載されている。
【特許文献１】特開２００２−１９０３６１号公報
【発明の開示】
【発明が解決しようとする課題】
【０００４】
しかしながら、特許文献１に記載された発明では、操作部材が下降されて被押圧部（操作片１６ｉ）が押圧されて、導通用接触部が電気部品から退避されるようにするときに、導通用接触部が電気部品の端子を下方に押圧しながら引っ掻いてしまう虞があった。
【０００５】
また、特許文献１に記載された発明では、例えばＣＣＤ（固体撮像素子、以下同じ）を検査する場合には、ＣＣＤを、電気部品用ソケットの上方でハンドラーによって収容部材へと移動し、電気部品用ソケットの上方から光源で光を照射することが行われているが、光源による照射を妨げないように、ハンドラーと光源の配置を定めるために、基板に取付けられる電気部品用ソケットの数が多くできず、一度に検査可能なＣＣＤの検査数が少なくなる虞があり、又、光源とＣＣＤとの距離が遠くなる虞もあった。
【０００６】
そこで、この発明は、操作部材が下降するときに、導通用接触部が電気部品を押圧しながら引っ掻く虞がない電気部品用ソケットを提供することを課題とする。
【０００７】
また、この発明の他の課題は、一度に検査可能なＣＣＤの検査数を増加させると共に、光源とＣＣＤとの距離を小さくすることができる電気部品の検査システムを提供することを課題とする。
【課題を解決するための手段】
【０００８】
かかる課題を達成するために、請求項１に記載の発明は、電気部品の端子と接触するコンタクトピンが設けられると共に基板上に取付けられたソケット本体と、該ソケット本体に上下動自在に設けられた操作部材と、該操作部材と一体に上下動可能に設けられ、前記電気部品が収容される収容部材とを備えた電気部品用ソケットであって、前記コンタクトピンは、前記ソケット本体に固定されるリード部と、該リード部の上端に設けられて前記ソケット本体に支持される被支持部と、該被支持部から延長された弾性変形可能な弾性部と、該弾性部の先端部から延長されて前記弾性部より前記ソケット本体の中心寄りで下方へ延びて揺動自在な揺動直線部とを有し、該揺動直線部には、前記電気部品と前記基板とを電気的に接続させる導通用接触部が形成されると共に、前記操作部材に形成された押圧部により押圧可能な被押圧部とが形成され、前記操作部材が下降すると、前記収容部材に収容された前記電気部品が下降することにより、前記電気部品が前記導通用接触部から離間した後に、前記押圧部が前記被押圧部を押圧して前記揺動直線部が前記電気部品から退避することにより、前記導通用接触部が前記電気部品から離間すると共に、前記操作部材が上昇すると、前記押圧部が前記被押圧部を押圧解除して前記揺動直線部が前記電気部品へと接近することにより、前記導通用接触部が前記電気部品に接近した後に、前記収容部材に収容された前記電気部品が上昇することにより、前記電気部品が前記導通用接触部に接触する電気部品用ソケットとしたことを特徴とする。
【０００９】
請求項２に記載の発明は、請求項１に記載の構成に加え、前記コンタクトピンは、前記揺動直線部の先端から略水平方向に延びて、前記収容部材に収容される前記電気部品の前記端子に上方から接触する前記導通用接触部の他に、前記揺動直線部の先端から下方向に延びて、前記収容部材の側面に横から接触して横方向への揺動が制止される横動制止接触部を有することを特徴とする。
【００１０】
請求項３に記載の発明は、請求項１又は２に記載の構成に加え、前記ソケット本体の下側で上下動自在な前記収容部材が、前記基板に形成されている貫通孔を介して前記基板の下に突出して設けられていることを特徴とする。
【００１１】
請求項４に記載の発明は、請求項１乃至３の何れか一つに記載の構成に加え、前記収容部材には上下方向に貫通する貫通孔が形成された貫通壁が設けられ、該貫通壁の内壁には前記電気部品を収容する段差部が形成され、前記電気部品は、光を導入する光導入面と、光から変換された電気を通す端子が設けられた端子面とを有するＣＣＤであり、該ＣＣＤは、前記光導入面が下方に向けられて前記収容部材の前記段差部に収容されることを特徴とする。
【００１２】
請求項５に記載の発明は、請求項１に記載の構成に加え、請求項４に記載の電気部品用ソケットと、前記収容部材の下方に配置されて前記貫通壁の前記貫通孔を通して前記電気部品に向けて照射される光源とを備えた電気部品の検査システムとしたことを特徴とする。
【発明の効果】
【００１３】
請求項１に記載の発明によれば、電気部品が収容される収容部材が、操作部材と一体に上下動可能に設けられている。そのため、操作部材が下降したときに、導通用接触部が電気部品を押圧して引っ掻く前に、電気部品が収容される収容部材が操作部材と共に下降される。従って、操作部材が下降するときに、導通用接触部が電気部品を押圧しながら引っ掻くことがないようにすることができる。
【００１４】
また、反対に、操作部材が上昇したときに、導通用接触部が電気部品側へと揺動した後に、電気部品が収容される収容部材が操作部材と共に上昇する。従って、導通用接触部が、確実に電気部品の端子に接触できる。
【００１５】
このように、導通用接触部と電気部品とが接触するときには、導通用接触部と電気部品とが互いに接近する方向に移動され、導通用接触部と電気部品とが離間するときには、導通用接触部と電気部品とが互いに離間する方向に移動される。従って、電気部品が昇降する分、操作部材が昇降されなくても、導通用接触部と電気部品との接触又は接触解除ができる。
【００１６】
請求項２に記載の発明によれば、コンタクトピンは、揺動直線部の先端から略水平方向に延びて、収容部材に収容される電気部品の端子に上方から接触する導通用接触部の他に、揺動直線部の先端から下方向に延びて、収容部材の側面に横から接触して横方向への揺動が制止される横動制止接触部を有する。従って、導通用接触部が電気部品の端子に接触する前に、横動制止接触部が収容部材の側面に当接して、導通用接触部が必要以上に電気部品における端子が設けられていない部位へと移動しないようにすることができると共に、導通用接触部が確実に電気部品の端子に接触できるようにガイドすることができる。
【００１７】
請求項３に記載の発明によれば、ソケット本体の下側で上下動自在な収容部材が、基板に形成されている貫通孔を介して基板の下に突出して設けられている。従って、基板がソケット本体の下側に配置されないことから、基板の厚みの分、電気部品の検査に場所を取らないように済ませることができる。
【００１８】
請求項４に記載の発明によれば、収容部材には上下方向に貫通する貫通孔が形成された貫通壁が設けられ、該貫通壁の内壁には電気部品を収容する段差部が形成され、電気部品は、光を導入する光導入面と、光から変換された電気を通す端子が設けられた端子面とを有するＣＣＤであり、ＣＣＤは、光導入面が下方に向けられて収容部材の段差部に収容される。そのため、ソケット本体の上側にハンドラーを設けて、電気部品の移動を行うことができると共に、ソケット本体の下側に光源を設けて、電気部品への光の照射を行うことができる。従って、例えば、電気部品がＣＣＤの場合には、従来のように、電気部品用ソケットの上方にハンドラーと光源の両方が集中することを回避することができ、又、一度に検査可能な電気部品の検査数を増加させることができる。
【００１９】
また、光源とＣＣＤとの間にハンドラーが設けられないために、光源とＣＣＤとの間の距離を小さくすることができる。従って、ＣＣＤの検査にあたり、光源の光を有効に活用することができる。
【００２０】
請求項５に記載の発明によれば、電気部品の検査システムは、電気部品用ソケットと、収容部材の下方に配置されて貫通壁の貫通孔を通して電気部品に向けて照射される光源とを備えた。従って、例えば、電気部品がＣＣＤの場合には、従来のように、電気部品用ソケットの上方にハンドラーと光源の両方が集中することを回避することができる。また、ＣＣＤの検査にあたり、光源の光を有効に活用することができる。
【発明を実施するための最良の形態】
【００２１】
以下、この発明の実施の形態について説明する。
【００２２】
図１乃至図９は、この発明の実施の形態１を示す。
【００２３】
まず、構成を説明すると、電気部品用ソケット１０は、図１及び図９（Ａ），（Ｂ）で示すように、「電気部品」である「固体撮像素子」としてのＣＣＤ１（図７参照）の端子１ｐと接触するコンタクトピン３０（図５参照）が設けられたソケット本体１１と、ソケット本体１１に上下動自在に設けられた操作部材１２と、ＣＣＤ１が収容される収容部材１３とを備えている。操作部材１２と収容部材１３とは、図２で示すように、連結部材１５で連結され、操作部材１２と収容部材１３とが一体となってソケット本体１１に対して上下移動するようになっている。
【００２４】
そして、この電気部品用ソケット１０は、基板１４上に取付けられ、電気部品用ソケット１０に備えられた収容部材１３は、基板１４に形成された貫通孔１４ａに挿通される。
【００２５】
ソケット本体１１は、図２で示すように、壁部１１ａと、床部１１ｂとが形成され、床部１１ｂには、後述する操作部材１２の中空筒部１２ｄが挿通される筒部挿通孔１１ｃが形成されている。
【００２６】
また、ソケット本体１１には、図５で示すように、コンタクトピン３０の被支持部３０ａを支持するピン支持床１１ｍが形成され、このピン支持床１１ｍには、コンタクトピン３０のリード部３０ｂを挿嵌するリード挿嵌孔１１ｎが形成されている。基板１４にもリード挿嵌孔１４ｎが形成されており、コンタクトピン３０のリード部３０ｂは、ソケット本体１１のリード挿嵌孔１１ｎに挿嵌された状態で、更にリード挿嵌孔１４ｎに挿嵌される。ソケット本体１１には、複数のコンタクトピン３０が、板面同士を対向させて板面と垂直な方向に並べて配設され、隣接するコンタクトピン３０同士の間に凸状の板材で成形された外側隔壁１１ｐ及び内側隔壁１１ｑによって仕切られている。外側隔壁１１ｐは、隣接するコンタクトピン３０の下向き凸状部３０ｃ−２同士が互いに接触しないようにするために設けられており、内側隔壁１１ｑは、隣接するコンタクトピン３０の上向き凸状部３０ｃ−１同士が互いに接触しないようにするために設けられている。外側隔壁１１ｐ同士の間は、図４で示すように、外側スリット１１ｒが形成され、内側隔壁１１ｑ同士の間は、図４で示すように、内側スリット１１ｓが形成されている。
【００２７】
操作部材１２は、図１及び図８（Ａ）で示すように、連結部材挿通凹部１２ａが４つ形成されており、各々の連結部材挿通凹部１２ａには、操作部材１２と収容部材１３とを連結する連結部材１５が挿通される。また、この連結部材挿通凹部１２ａは、図２で示すように、上から順に、壁部１２ｂと、後述する連結部材１５の係止頭部１５ａが係止する被係止床部１２ｃとから構成される。そして、被係止床部１２ｃの略中央に孔が形成され、この孔と連通して中空筒部１２ｄが下方へ延びている。この中空筒部１２ｄは、前述した筒部挿通孔１１ｃに挿通されて、操作部材１２の昇降動作時に筒部挿通孔１１ｃによってガイドされるようになっている。操作部材１２が下方向に押圧されると、操作部材１２の壁部１２ｂがソケット本体１１の壁部１１ａ内を摺動しながら、操作部材１２が下降する。
【００２８】
また、操作部材１２には、図５で示すように、ＣＣＤ１を挿入するために上下方向に貫通孔１２ｍ−１が形成された電気部品挿入貫通壁１２ｍが設けられ、この電気部品挿入貫通壁１２ｍの下部には、コンタクトピン３０の被押圧部３０ｅを押圧可能で、外側から内側に向けて傾斜する押圧部１２ｎが形成されている。
【００２９】
収容部材１３は、図８（Ｂ）で示すように、凹部１３ａが４つ形成されている。また、この凹部１３ａは、図２で示すように、下から順に、壁部１３ｂと、後述する連結部材１５の係止足部１５ｂが係止する被係止天井部１３ｃと、被係止天井部１３ｃの略中央には孔が形成され、この孔と連通して中空筒部１３ｄが上方へ延びている。収容部材１３は、図２で示すように、ソケット本体１１の下側で上下動自在に構成され、基板１４に形成されている貫通孔１４ａを介して基板１４の下に突出して設けられている。また、操作部材１２の中空筒部１２ｄは、ソケット本体１１の筒部挿通孔１１ｃに挿通され、更に収容部材１３の中空筒部１３ｄに挿通されている。
【００３０】
また、収容部材１３には、図５で示すように、ＣＣＤ１に光を照射するために上下方向に貫通孔１３ｍ−１が形成された貫通壁１３ｍが設けられ、この貫通壁１３ｍの内壁の上部には、ＣＣＤ１を収容する段差部１３ｎが形成されている。段差部１３ｎの上方には、隣接するコンタクトピン３０同士を隔てる複数の隔壁部１３ｐが形成されており、この隔壁部１３ｐには、図４及び図５で示すように、鉛直隔壁面１３ｑと傾斜隔壁面１３ｒとがあり、図４で示すように、鉛直隔壁面１３ｑ同士の間に鉛直スリット１３ｙが形成され、傾斜隔壁面１３ｒ同士の間に傾斜スリット１３ｚが形成されている。
【００３１】
連結部材１５は、操作部材１２と収容部材１３とを連結する部材であり、図２で示すように、上部に係止頭部１５ａが形成されており、操作部材１２の中空筒部１２ｄに上方から挿嵌され、又、収容部材１３の被係止天井部１３ｃよりも下方から突出する下部が拡径されて係止足部１５ｂが形成されている。そして、係止頭部１５ａが操作部材１２の被係止床部１２ｃに係止され、係止足部１５ｂが収容部材１３の被係止天井部１３ｃに係止されている。
【００３２】
操作部材１２が下降されると、連結部材１５で連結された収容部材１３も収容部材１３自体の有する自重により下降するようになっている。また、操作部材１２に対して下方へ向けて力が作用していないときには、「バネ部」であるコイルバネ１６が床部１１ｂに対して操作部材１２を上向きに付勢し、連結部材１５の係止頭部１５ａが被係止床部１２ｃに引っ掛けられた連結部材１５が上昇し、これと共に、連結部材１５の係止足部１５ｂが被係止天井部１３ｃに引っ掛けられた収容部材１３が上昇する。このような構成により、操作部材１２と収容部材１３とは、上昇時も下降時も、一体となって動作するようになっている。
【００３３】
コンタクトピン３０は、導電性を有する板材で成形され、図３で示すように、ソケット本体１１に支持される被支持部３０ａと、被支持部３０ａから下方に延びると共にソケット本体１１のリード挿嵌孔１１ｎ（図５参照）に上方から挿嵌されるリード部３０ｂと、被支持部３０ａから上方に湾曲して延びると共に弾性を有する「弾性部」である渦巻き部３０ｃと、渦巻き部３０ｃの先端から略鉛直下向きに延びて形成されると共に横方向に揺動自在な揺動直線部３０ｄとを有する。
【００３４】
また、揺動直線部３０ｄは、略中央が被支持部３０ａとは反対の外側に凸状に形成されて操作部材１２により押圧可能な被押圧部３０ｅが形成され、又、先端側が２股に分離して形成され、下方向に延びて収容部材１３の側面に当接して横方向への移動が制止される横動制止接触部３０ｆと、略水平方向に延びて収容部材１３上に収容されるＣＣＤ１の上面に接触してＣＣＤ１と基板１４とを電気的に接続する導通用接触部３０ｇとを有する。なお、導通用接触部３０ｇは、先端が下方向に鋭角に形成された凸状の部位を有している。
【００３５】
また、渦巻き部３０ｃは、被支持部３０ａから斜め上方向に凸状に形成された上向き凸状部３０ｃ−１と、上向き凸状部３０ｃ−１の先端と繋がって斜め下方向に凸状に形成された下向き凸状部３０ｃ−２とを有する。
【００３６】
ＣＣＤ１は、図７で示すように、光を導入する光導入面１ｂと、光から変換された電気を通す端子１ｐが設けられた端子面１ａとを有する。ＣＣＤ１は、図５及び図６（Ａ），（Ｂ）で示すように、光導入面１ｂが下方を向くように、収容部材１３に形成された段差部１３ｎに収容される。
【００３７】
そして、「電気部品」であるＣＣＤ１の検査システム８は、図１及び図５で示すように、前述した電気部品用ソケット１０と、収容部材１３の下方に配置されて貫通壁１３ｍを通してＣＣＤ１に向けて照射される光源２とを備えて構成される。
【００３８】
次に、この発明の実施の形態に係る電気部品用ソケット１０の作用及びＣＣＤ１の検査方法について述べる。
【００３９】
まず、操作部材１２を下降させると、図５から図６（Ａ）までで示すように、操作部材１２の電気部品挿入貫通壁１２ｍがコンタクトピン３０の揺動直線部３０ｄに沿って下降すると共に、ＣＣＤ１を収容された収容部材１３が下降する。これにより、導通用接触部３０ｆから、ＣＣＤ１が下方向へと離間する方向へと移動する。
【００４０】
そして、更に操作部材１２を下降させると、図６（Ａ）で示すように、操作部材１２の押圧部１２ｎが、コンタクトピン３０の被押圧部３０ｅと接触して被押圧部３０ｅを押圧すると共に、ＣＣＤ１が収容された収容部材１３が更に下降する。
【００４１】
これより更に操作部材１２を下降させると、図６（Ｂ）で示すように、押圧部１２ｎが、コンタクトピン３０の被押圧部３０ｅを乗り越えながら押圧し、揺動直線部３０ｄが外側に押し込まれ、揺動直線部３０ｄの先端に設けられた導通用接触部３０ｇがＣＣＤ１側から退避する。また、横動制止接触部３０ｆが、収容部材１３の貫通壁１３ｍの外側面から退避する。この状態で、図示しないハンドラーによって、図５で示すように、ＣＣＤ１を移動させ、端子面１ａが上を向くように収容部材１３の段差部１３ｎに収容する。
【００４２】
この状態で、今度は、操作部材１２を上昇させると、図６（Ｂ）から図６（Ａ）までで示すように、操作部材１２の押圧部１２ｎがコンタクトピン３０の被押圧部３０ｅを降りながら被押圧部３０ｅへの押圧を解除することにより、揺動直線部３０ｄが、被押圧部３０ｅを外側に押すことを止め、渦巻き部３０ｃの弾性力によって元の形状に戻ろうとし、収容部材１３の貫通壁１３ｍの外側面へと接近する。これにより、導通用接触部３０ｇが、ＣＣＤ１の端子１ｐの上方に配置される。
【００４３】
そして、更に操作部材１２を上昇させると、図６（Ａ）で示すように、押圧部１２ｎがコンタクトピン３０の被押圧部３０ｅを完全に降りると共に、ＣＣＤ１を収容した収容部材１３が更に上昇して、導通用接触部３０ｇがＣＣＤ１の端子面１ａに接触した状態となる。この状態で、光源２からＣＣＤ１に対して光を照射して、ＣＣＤ１を検査する。また、このとき、横動制止接触部３０ｆが、収容部材１３の貫通壁１３ｍの外側面に接触した状態となり、導通用接触部３０ｇが必要以上にＣＣＤ１の端子１ｐ上を摺動しないようになっている。
【００４４】
これより更に操作部材１２を上昇させると、図５で示すように、操作部材１２の電気部品挿入貫通壁１２ｍがコンタクトピン３０の揺動直線部３０ｄに沿って上昇すると共に、ＣＣＤ１を収容した収容部材１３が上昇する。
【００４５】
このような電気部品用ソケット１０によれば、ＣＣＤ１が収容される収容部材１３が、操作部材１２と一体に上下動可能に設けられている。そのため、操作部材１２が下降したときに、導通用接触部３０ｇがＣＣＤ１を押圧して引っ掻く前に、ＣＣＤ１が収容される収容部材１３が操作部材１２と共に下降される。従って、操作部材１２が下降するときに、導通用接触部３０ｇがＣＣＤ１を押圧しながら引っ掻くことがないようにすることができる。また、操作部材１２の動作をそのまま収容部材１３の動作に活用することができるので、操作部材１２の昇降機構とは別に、収容部材１３の昇降機構を構成する必要がない。
【００４６】
また、前述したのとは反対に、操作部材１２が上昇したときに、導通用接触部３０ｇがＣＣＤ１側へと揺動した後に、ＣＣＤ１が収容される収容部材１３が操作部材１２と共に上昇する。従って、導通用接触部３０ｇが、確実にＣＣＤ１の端子１ｐに接触できる。
【００４７】
このように、導通用接触部３０ｇとＣＣＤ１とが接触するときには、導通用接触部３０ｇとＣＣＤ１とが互いに接近する方向に移動され、導通用接触部３０ｇとＣＣＤ１とが離間するときには、導通用接触部３０ｇとＣＣＤ１とが互いに離間する方向に移動される。従って、ＣＣＤ１が昇降する分、操作部材１２が昇降されなくても、導通用接触部３０ｇとＣＣＤ１との接触又は接触解除ができる。
【００４８】
また、コンタクトピン３０は、揺動直線部３０ｄの先端から略水平方向に延びて、収容部材１３に収容されるＣＣＤ１の端子１ｐに上方から接触する導通用接触部３０ｇの他に、揺動直線部３０ｄの先端から下方向に延びて、収容部材１３の側面に横から接触して横方向への揺動が制止される横動制止接触部３０ｆを有する。従って、導通用接触部３０ｇがＣＣＤ１の端子１ｐに接触する前に、横動制止接触部３０ｆが収容部材１３の側面に当接して、導通用接触部３０ｇが必要以上にＣＣＤ１における端子１ｐが設けられていない部位へと移動しないようにすることができると共に、導通用接触部３０ｇが確実にＣＣＤ１の端子１ｐに接触できるようにガイドすることができる。
【００４９】
さらに、ソケット本体１１の下側で上下動自在な収容部材１３が、基板１４に形成されている貫通孔１４ａを介して基板１４の下に突出して設けられている。従って、基板１４がソケット本体１１の下側に配置されないことから、基板１４の厚みの分、ＣＣＤ１の検査に場所を取らないで済ませることができる。
【００５０】
また、収容部材１３には上下方向に貫通する貫通孔１３ｍ−１が形成された貫通壁１３ｍが設けられ、貫通壁１３ｍの内壁にはＣＣＤ１を収容する段差部１３ｎが形成され、ＣＣＤ１は、光を導入する光導入面１ｂと、光から変換された電気を通す端子１ｐが設けられた端子面１ａとを有するＣＣＤ１であり、ＣＣＤ１は、光導入面１ｂが下方に向けられて収容部材１３の段差部１３ｎに収容される。そのため、ソケット本体１１の上側にハンドラーを設けて、ＣＣＤ１の移動を行うことができると共に、ソケット本体１１の下側に光源２を設けて、ＣＣＤ１への光の照射を行うことができる。従って、例えば、ＣＣＤ１の場合には、従来のように、電気部品用ソケット１０の上方にハンドラーと光源２の両方が集中することを回避することができ、又、一度に検査可能なＣＣＤ１の検査数を増加させることができる。
【００５１】
また、光源２とＣＣＤ１との間にハンドラーが設けられないために、光源２とＣＣＤ１との間の距離を小さくすることができる。従って、ＣＣＤ１の検査にあたり、光源２の光を有効に活用することができる。
【００５２】
さらに、ＣＣＤ１の検査システムは、電気部品用ソケット１０と、収容部材１３の下方に配置されて貫通壁１３ｍの貫通孔１３ｍ−１を通してＣＣＤ１に向けて照射される光源２とを備えた。従って、例えば、ＣＣＤ１の場合には、従来のように、電気部品用ソケット１０の上方にハンドラーと光源２の両方が集中することを回避することができる。また、ＣＣＤ１の検査にあたり、光源２の光を有効に活用することができる。
【００５３】
また、揺動直線部３０ｄには、被押圧部３０ｅと導通用接触部３０ｇとが同方向に突出するように設けられている。そのため、操作部材１２の押圧部１２ｎによる被押圧部３０ｅへ押圧又は押圧解除の動作が、直接的に導通用接触部３０ｇの動作となるようにすることができる。
【００５４】
なお、この発明の実施の形態における電気部品用ソケット１０は、ＣＣＤ１の試験に用いられるものであったが、上記実施の形態に限定されない。すなわち、電気部品用ソケット１０は、ＣＣＤ１以外の電気部品、例えば、ＩＣパッケージ等の試験に用いられることも可能である。
【図面の簡単な説明】
【００５５】
【図１】この発明の実施の形態１に係る電気部品用ソケットの斜視図である。
【図２】同実施の形態に係る図１のＡ−Ａ線に沿う電気部品用ソケットの断面図である。
【図３】同実施の形態に係るコンタクトピンの正面図である。
【図４】同実施の形態に係る図１のＢ−Ｂ線に沿う電気部品用ソケットの断面斜視図である。
【図５】同実施の形態に係る図１のＢ−Ｂ線に沿う電気部品用ソケットの断面図である。
【図６】同実施の形態に係る図１のＢ−Ｂ線に沿う電気部品用ソケットを示し、（Ａ）は、操作部材の押圧部がコンタクトピンの被押圧部を押圧する瞬間を示す断面図であり、（Ｂ）は、操作部材の押圧部がコンタクトピンの被押圧部を押圧してコンタクトピンを横方向に移動させたときを示す断面図である。
【図７】同実施の形態に係るＣＣＤを示し、（Ａ）は、ＣＣＤの裏面図、（Ｂ）は、（Ａ）の矢印Ｅの方から見た図であり、（Ｃ）は、（Ａ）の矢印Ｆの方から見た図である。
【図８】同実施の形態に係る電気部品用ソケットを示し、（Ａ）は、電気部品用ソケットの平面図であり、（Ｂ）は、電気部品用ソケットの裏面図である。
【図９】同実施の形態に係る電気部品用ソケットを示し、（Ａ）は、図８（Ａ）の矢印Ｃ方向から見た電気部品用ソケットの側面図であり、（Ｂ）は、図８（Ａ）の矢印Ｄ方向から見た電気部品用ソケットの側面図である。
【符号の説明】
【００５６】
1     ＣＣＤ（電気部品）
1a    端子面
1b    光導入面
1p    端子  
2     光源
10    電気部品用ソケット
11    ソケット本体
12    操作部材
13    収容部材
14    基板
15    連結部材
16    コイルバネ
30    コンタクトピン
30a   被支持部
30b   リード部
30c   渦巻き部（バネ部）
30d   揺動直線部
30e   被押圧部
30f   横動制止接触部
30g   導通用接触部
【図１】
2008135211.tif 000003
【図２】
2008135211.tif 000004
【図３】
2008135211.tif 000005
【図４】
2008135211.tif 000006
【図５】
2008135211.tif 000007
【図６】
2008135211.tif 000008
【図７】
2008135211.tif 000009
【図８】
2008135211.tif 000010
【図９】
2008135211.tif 000011